(57)【要約】【課題】コントロールボックスをユニット本体外に取り出し可能とし、かつその取り出し位置で固定可能とすることにより、現地での各種作業やメンテナンス時の作業性を改善した空気調和機を提供することを目的とする。【解決手段】ユニット本体内にコントロールボックス６が設けられている空気調和機において、ユニット本体またはコントロールボックス６背面のいずれか一方に設けられた一対のレール部材８と、そのレール部材８に設けられたレール溝９と、ユニット本体またはコントロールボックス６背面のいずれか他方に設けられ、レール溝９に摺動自在に係止された係止部材１４と、を備え、レール溝９のコントロールボックス６の取り出し位置側の端部に、取り出し方向と交差する方向に延びた取り出し側固定溝１１が設けられ、コントロールボックス６がその取り出し側固定溝１１に移動されることにより、取り出し位置に固定可能とされている。【選択図】図６
2015081709.tif 000002
【特許請求の範囲】
【請求項１】
ユニット本体内にコントロールボックスが固定手段を介して設置され、そのコントロールボックスが前記ユニット本体外に取り出し可能とされている空気調和機において、
前記ユニット本体側または前記コントロールボックス背面側のいずれか一方に所定間隔で平行に設置されている一対のレール部材と、
前記一対のレール部材に、前記コントロールボックスの取り出し方向に沿って設けられているレール溝と、
前記ユニット本体側または前記コントロールボックス背面側のいずれか他方に所定の間隔で設けられ、前記レール溝に対して摺動自在に係止されている係止部材と、を備え、
前記レール溝のコントロールボックス取り出し位置側の端部に、取り出し方向と交差する方向に延びる取り出し側固定溝が設けられ、前記コントロールボックスが前記取り出し側固定溝に移動されることにより、取り出し位置に固定可能とされていることを特徴とする空気調和機。
【請求項２】
前記レール溝のコントロールボックス設置位置側の端部に、取り出し方向と交差する方向に延びる設置側固定溝が設けられ、前記コントロールボックスが前記設置側固定溝に移動されることにより、設置位置に固定可能とされていることを特徴とする請求項１に記載の空気調和機。
【請求項３】
前記レール溝は、前記取り出し側固定溝および前記設置側固定溝がそれぞれ直交方向に設けられたコの字形状溝とされていることを特徴とする請求項２に記載の空気調和機。
【請求項４】
前記係止部材は、前記レール溝内を摺動する摺動部と、前記レール溝に係止される頭部とを備えた段付きネジとされていることを特徴とする請求項１ないし３のいずれかに記載の空気調和機。
【請求項５】
前記レール溝には、溝方向の任意位置に前記係止部材の前記頭部を溝内に通す挿通部が設けられていることを特徴とする請求項４に記載の空気調和機。
【発明の詳細な説明】
【技術分野】
【０００１】
本発明は、ユニット本体内にコントロールボックスが設置されている空気調和機に関するものである。
【背景技術】
【０００２】
ユニット本体が室内に露出されて据え付けられる、例えば天吊り型の空気調和機の室内ユニット等においては、外観のデザイン性もあって、コントロールボックスをユニット本体内に設置している。このため、ユニット本体内において、コントロールボックスに対して配線接続作業や制御基板への設定作業等を行うスペースを確保するのが難しく、作業が行い難い等の問題があった。
【０００３】
そこで、コントロールボックスの背面上部にフック部を設け、そのフック部をユニット本体内の背面側パネルに設けられている係止片に差し込むとともに、コントロールボックスの背面下部に設けられている係止部材をユニット本体内の下縁部に係合してネジ止め固定することにより、コントロールボックスを着脱自在に設置し、各種作業やメンテナンスを行う際、コントロールボックスをユニット本体から取り外し、そのフック部をユニット本体の下縁部に引っ掛け、コントロールボックスを吊下げた状態とすることにより、各種作業やメンテナンスを行うようにしたものが特許文献１に記載されている。
【０００４】
また、特許文献２には、天井埋め込み型の空気調和機において、室内ユニット本体の外側面に、コントロールボックスを断面コ字形状のガイドレール部材を介して上下方向に摺動自在に設置し、コントロールボックス内の電源配線等の接続作業を行う際、コントロールボックスをガイドレール部材に沿って下降させ、その上部に設けられているフック部をガイドレール部材の下端に設けられている係止部材に引っ掛け、天井下に露出させた状態とすることによって、配線作業やメンテナンス作業等を行えるようにしたものが開示されている。
【先行技術文献】
【特許文献】
【０００５】
【特許文献１】特許第３６１５３６６号公報
【特許文献２】実公昭６３−１７９３５号公報
【発明の概要】
【発明が解決しようとする課題】
【０００６】
しかしながら、特許文献１，２に記載されたものは、コントロールボックスに対して各種作業やメンテナンス等を行う際、コントロールボックスをユニット本体に対する設置位置から、ユニット本体外または天井下に取り出し、作業スペースを確保することで、各種作業やメンテナンス作業を行い易くしたものであるが、いずれもコントロールボックスを取り出し位置において、フック部を介してユニット本体側に引っ掛け、吊下げ状態として作業を行うようにしたものである。
【０００７】
このため、コントロールボックスに対して各種作業を行う際、コントロールボックスがふら付いて姿勢が不安定となり易く、例えばネジの取り外しまたは締め付け時、コントロールボックスに左回転または右回転トルクがかかることによってコントロールボックスが動いた場合、フック部が外れる等の虞があり、現地での作業に際しては、コントロールボックスを落下させないように、しっかり支持して作業しなければならない等、作業性に難点があった。
【０００８】
本発明は、このような事情に鑑みてなされたものであって、ユニット本体内に設置されているコントロールボックスをユニット本体外に取り出し可能とし、かつその取り出し位置でしっかり固定可能とすることにより、現地での各種作業やメンテナンス時の作業性を改善した空気調和機を提供することを目的とする。
【課題を解決するための手段】
【０００９】
上記した課題を解決するために、本発明の空気調和機は、以下の手段を採用する。
すなわち、本発明にかかる空気調和機は、ユニット本体内にコントロールボックスが固定手段を介して設置され、そのコントロールボックスが前記ユニット本体外に取り出し可能とされている空気調和機において、前記ユニット本体側または前記コントロールボックス背面側のいずれか一方に所定間隔で平行に設置されている一対のレール部材と、前記一対のレール部材に、前記コントロールボックスの取り出し方向に沿って設けられているレール溝と、前記ユニット本体側または前記コントロールボックス背面側のいずれか他方に所定の間隔で設けられ、前記レール溝に対して摺動自在に係止されている係止部材と、を備え、前記レール溝のコントロールボックス取り出し位置側の端部に、取り出し方向と交差する方向に延びる取り出し側固定溝が設けられ、前記コントロールボックスが前記取り出し側固定溝に移動されることにより、取り出し位置に固定可能とされていることを特徴とする。
【００１０】
本発明によれば、ユニット本体側またはコントロールボックス背面側のいずれか一方に所定間隔で平行に設置されている一対のレール部材と、そのレール部材にコントロールボックスの取り出し方向に沿って設けられているレール溝と、ユニット本体側またはコントロールボックス背面側のいずれか他方に所定の間隔で設けられ、レール溝に摺動自在に係止されている係止部材と、を備え、該レール溝のコントロールボックス取り出し位置側の端部に、取り出し方向と交差する方向に延びた取り出し側固定溝が設けられ、コントロールボックスがその取り出し側固定溝に移動されることにより、取り出し位置に固定可能とされているため、ユニット本体内に設置されているコントロールボックスを、その固定手段を取り外し、一対のレール部材に設けられているレール溝に沿ってスライドさせることにより、ユニット本体外に取り出すことができ、その取り出し位置で取り出し方向と交差する方向に延びている取り出し側固定溝内に移動させることにより、コントロールボックスを取り出し位置に固定することができる。従って、作業スペースを十分確保してコントロールボックスに対する所要の作業やメンテナンス等を施すことができるとともに、その作業時、コントロールボックスが不安定とならないように取り出し位置にしっかり固定して作業することができ、現地での作業性を良好に改善することができる。
【００１１】
さらに、本発明の空気調和機は、上記の空気調和機において、前記レール溝のコントロールボックス設置位置側の端部に、取り出し方向と交差する方向に延びる設置側固定溝が設けられ、前記コントロールボックスが前記設置側固定溝に移動されることにより、設置位置に固定可能とされていることを特徴とする。
【００１２】
本発明によれば、レール溝のコントロールボックス設置位置側の端部に、取り出し方向と交差する方向に延びた設置側固定溝が設けられ、コントロールボックスがその設置側固定溝に移動されることにより、設置位置に固定可能とされているため、コントロールボックスをユニット本体外に取り出し、所要の作業やメンテナンス等を施した後、一対のレール部材に設けられているレール溝に沿ってユニット本体内の設置位置にスライドし、固定手段を介してユニット本体内に固定設置する際、コントロールボックスをレール溝のコントロールボックス設置位置側の端部に取り出し方向と交差する方向に設けられている設置側固定溝内に移動することにより、コントロールボックスを設置位置に固定することができる。従って、コントロールボックスをユニット本体内に固定手段を介して固定設置するとき、コントロールボックスを支えながら作業する必要がなく、その作業を簡易化することができる。
【００１３】
さらに、本発明の空気調和機は、上記の空気調和機において、前記レール溝は、前記取り出し側固定溝および前記設置側固定溝がそれぞれ直交方向に設けられたコの字形状溝とされていることを特徴とする。
【００１４】
本発明によれば、レール溝が、取り出し側位置決め溝および設置側位置決め溝がそれぞれ直交方向に設けられたコの字形状溝とされているため、コントロールボックスをユニット本体内の設置位置およびユニット本体外の取り出し位置に摺動移動する際、コの字形状溝の連続した溝内を移動させるだけでよく、コントロールボックスの取り出しおよび設置位置への摺動移動をスムーズに行うことができる。従って、コントロールボックスの取り出しおよび固定設置時の移動作業、固定作業等を容易化および単純化することができる。
【００１５】
さらに、本発明の空気調和機は、上述のいずれかの空気調和機において、前記係止部材は、前記レール溝内を摺動する摺動部と、前記レール溝に係止される頭部とを備えた段付きネジとされていることを特徴とする。
【００１６】
本発明によれば、係止部材が、レール溝内を摺動する摺動部と、レール溝に係止される頭部とを備えた段付きネジとされているため、レール溝が設けられたレール部材と段付きネジの２部品の追加のみにより、コントロールボックスをユニット本体に対して固定設置位置と取り出し位置との間を摺動自在に設置することができる。従って、簡易な構成によりコントロールボックスをユニット本体外に取り出し自在とし、コントロールボックスに対する各種作業やメンテナンス等の作業性を改善し、商品性を高めることができる。
【００１７】
さらに、本発明の空気調和機は、上記の空気調和機において、前記レール溝には、溝方向の任意位置に前記係止部材の前記頭部を溝内に通す挿通部が設けられていることを特徴とする。
【００１８】
本発明によれば、レール溝には、溝方向の任意位置に係止部材の頭部を溝内に通す挿通部が設けられているため、レール溝の任意位置に設けられている挿通部を介して係止部材の頭部をレール溝に通すことにより、レール部材に対して係止部材を係止し、コントロールボックスを摺動自在に組み付けることができる。従って、ユニット本体に対するコントロールボックスの組み付けをも簡素化することができる。
【発明の効果】
【００１９】
本発明によると、ユニット本体内に設置されているコントロールボックスを、その固定手段を取り外し、一対のレール部材に設けられているレール溝に沿ってスライドさせることにより、ユニット本体外に取り出すことができ、その取り出し位置で取り出し方向と交差する方向に延びている取り出し側固定溝内に移動させることにより、コントロールボックスを取り出し位置に固定することができるため、作業スペースを十分確保してコントロールボックスに対する所要の作業やメンテナンス等を施すことができるとともに、その作業時、コントロールボックスが不安定とならないように取り出し位置にしっかり固定して作業することができ、現地での作業性を良好に改善することができる。
【図面の簡単な説明】
【００２０】
【図１】本発明の一実施形態に係る天吊り型空気調和機の室内ユニットの吸込みグリルを取り外した状態の下面側からの斜視図である。
【図２】上記室内ユニットのユニット本体内からコントロールボックスを取り出した状態の下面側からの斜視図である。
【図３】上記コントロールボックスを取り出し自在とするレール部材の設置部分の下面側からの斜視図である。
【図４】上記レール部材の一方側のみの拡大斜視図である。
【図５】上記レール部材に対するコントロールボックスの固定設置状態の正面視図である。
【図６】上記レール部材に対するコントロールボックスの取り出し状態の正面視図である。
【図７】上記コントロールボックスをユニット本体内に固体設置した状態の縦断面図である。
【図８】上記コントロールボックスをユニット本体外に取り出した状態の縦断面図である。
【発明を実施するための形態】
【００２１】
以下に、本発明の一実施形態について、図１ないし図８を参照して説明する。
図１には、本発明の一実施形態に係る天吊り型空気調和機の室内ユニットの吸込みグリルを取り外した状態の下面側からの斜視図が示されている。
天吊り型空気調和機の室内ユニット１は、横長の直方体形状とされたユニット本体２を備えている。ユニット本体２内には、図示省略の室内熱交換器、モータ３により駆動される複数台の室内送風機４、室内熱交換器の下部に設けられるドレンパン５、ドレンパン５内に溜まったドレン水を排出する図示省略のドレンポンプ、図示省略の室内側膨張弁および室内側のコントロールボックス６等の室内側機器類が収容設置されている。
【００２２】
ユニット本体２の下面には、その前方側にドレンパン５の下部を覆う下面パネルが設けられ、後方側に吸込みグリル（図１では、取り外されている）が設けられている。この室内ユニット１は、天井面から室内側に吊下げ設置され、室内送風機４の回転により吸込みグリルを通して室内空気を吸込み、室内熱交換器によって冷却または加熱した後、ユニット本体２の前面に設けられている吹出し口を経て室内へと吹出す構成とされている。
【００２３】
コントロールボックス６は、ユニット本体２内において、室内送風機４の後方と背面パネル７との間のスペースに固定設置されている。このコントロールボックス６は、設置スペースが狭く、コントロールボックス６に対する配線接続作業や制御基板上のスイッチの設定作業あるいは内部部品に対するメンテナンス作業等を行おうとしても、モータ３や室内送風機４が邪魔となって行い難いことから、コントロールボックス６をユニット本体２外に取り出し可能に設置した構成としている。
【００２４】
つまり、コントロールボックス６は、ユニット本体２の背面パネル７の内面側に、所定の間隔を隔てて上下方向に平行に一対のレール部材８を固定設置し、そのレール部材８に設けられている上下方向のレール溝９に対して、コントロールボックス６の背面に設けられている係止部材１４を摺動自在に係止することにより、図１、図５および図７に示されるユニット本体２内の固定設置位置と、図２、図６および図８に示されるユニット本体２外の取り出し位置との間に摺動移動自在に設置されている。
【００２５】
一対のレール部材８およびレール溝９は、コントロールボックス６全体が、図１および図７に示されるように、ユニット本体２内に収容設置される位置から、コントロールボックス６の大半が、図２および図８に示されるように、ユニット本体２の下縁部から下方に下降されるのに必要なだけの上下方向長さを有しており、そのレール溝９内にコントロールボックス６の背面の上部側に設けられている係止部材（段付きネジ）１４の頭部１５が挿通、係止されることによって、コントロールボックス６がレール溝９の上端部から下端部までの間を摺動移動自在とされている。
【００２６】
レール溝９の下端部近くには、係止部材１４の頭部１５をレール溝９に通す挿通部１０が設けられている。この挿通部１０の径は、係止部材１４の頭部１５の外径よりも少し大きくされ、該頭部１５が挿通可能とされている。また、レール溝９の下端部には、コントロールボックス６を取り出し位置に固定するための取り出し側固定溝１１が、取り出し方向と交差する方向、すなわちレール溝９と直交する方向（水平方向）に延長して設けられており、コントロールボックス６をレール溝９に沿って取り出し、取り出し側固定溝１１に移動することによって、ネジの取り外しまたは締め付け時等にコントロールボックス６に左回転トルクや右回転トルクがかかった場合でも、コントロールボックス６が上下にガタ付かないように固定可能な構成とされている。
【００２７】
また、レール溝９の上端部にも、同様にコントロールボックス６をユニット本体２内の設置位置に固定するための設置側固定溝１２が、取り出し方向と交差する方向、すなわちレール溝９と直交する方向（水平方向）に延長して設けられた構成とされ、コントロールボックス６をレール溝９に沿って移動し、ユニット本体２内に収容した後、設置側固定溝１２に移動することにより、コントロールボックス６を下支えしなくても、固定作業が行える構成としている。
【００２８】
このように、レール溝９は、上下端に直交方向に延長する溝を設けたことにより、全体としてコの字形状の連続溝とされており、その連続溝９内をコントロールボックス６の背面に設けられている係止部材１４が摺動可能な構成とされている。
なお、コントロールボックス６は、ユニット本体２内に収容され、設置側固定溝１２に移動された状態で、図１および図５に示されるように、下縁部の両端側に設けられている固定部１３をユニット本体２にネジ止め固定することにより、固定設置されるようになっている。
【００２９】
さらに、コントロールボックス６の背面上部に設けられている係止部材１４は、図７および図８に示されるように、頭部１５と、レール溝９、取り出し側固定溝１１および設置側固定溝１２内を摺動可能とされている摺動部１６とを備えた段付きネジ１４によって構成されており、その段付きネジ１４のネジ部をコントロールボックス６の背面にネジ込むことによって固定設置されている。
【００３０】
以上に説明した構成により、本実施形態によれば、以下の作用効果を奏する。
上記の室内ユニット１は、天井面に吊下げ設置されることにより室内の空調に供され、室内送風機４を介して下面の吸込みグリルから吸込んだ室内空気を、室内熱交換器に通して冷却または加熱した後、ユニット本体２の前面に設けられている吹出し口を経て室内に吹出すことにより、室内に冷暖房に供される。
【００３１】
この室内ユニット１において、コントロールボックス６は、ユニット本体２内の後方側に設けられた室内送風機４と背面パネル７との間にスペースに設置されており、そのままではコントロールボックス６に対する配線接続作業や制御基板の各種スイッチの設定作業あるいはメンテナンス作業を行うためのスペースを十分に確保することができず、それらの作業を行うことが困難であった。
【００３２】
そこで、コントロールボックス６を一対のレール部材８に設けられている上下方向のレール溝９に沿ってユニット本体２外に取り出し可能に設け、上記の各作業を行う際、コントロールボックス６を下方に取り出し、ユニット本体２より下方にコントロールボックス６の大半を露出させることにより、各種作業を行えるようにしている。このため、作業スペースを十分に確保してコントロールボックス６に対する所要の作業やメンテナンス作業を行うことが可能となり、それぞれの作業を容易化することができる。
【００３３】
また、レール溝９のコントロールボックス取り出し位置側の端部に、取り出し方向と交差する直交方向に延びた取り出し側固定溝１１を設け、下方に取り出されたコントロールボックス６をその取り出し側固定溝１１内に移動させることによって、取り出し位置においてコントロールボックス６を固定できるようにしている。このため、コントロールボックス６をユニット本体２の下方位置に取り外し、その位置で各種作業やメンテナンスを行う際、例えばネジの取り外し、締め付け等により、コントロールボックスに左回転または右回転のトルクがかかる場合でも、コントロールボックス６が不安定とならないようにしっかり固定して作業をすることができ、現地での作業性を良好に改善することができる。
【００３４】
さらに、レール溝９のコントロールボックス設置位置側の端部に、取り出し方向と交差する方向に延びた設置側固定溝１２を設け、コントロールボックス６をその設置側固定溝１２に移動させることにより、設置位置に固定可能としている。このため、コントロールボックス６をユニット本体２外に取り出し、所要の作業やメンテナンスを実施後、一対のレール部材８に設けられているレール溝９に沿ってユニット本体２内の設置位置にスライドし、固定手段を介してユニット本体２内に固定設置する際、コントロールボックス６を設置側固定溝１２内に移動することによって、コントロールボックス６を設置位置に固定することができる。
【００３５】
これによって、コントロールボックス６をユニット本体２内において、その固定部１３をユニット本体２側にネジ止め固定して固定設置する際、コントロールボックス６が自重により下降しないように下支えしながら作業する必要がなく、その作業を簡易化することができる。
【００３６】
また、上記レール溝９が、取り出し側位置決め溝１１および設置側位置決め溝１２がそれぞれ直交方向に設けられたコの字形状の溝とされているため、コントロールボックス６をユニット本体２内の設置位置およびユニット本体２外の取り出し位置にスライド移動する際、コの字形状溝の連続した溝内を移動させるだけでよく、コントロールボックス６の取り出しおよび設置位置への摺動移動をスムーズに行うことができる。従って、コントロールボックス６の取り出しおよび固定設置時の移動作業、固定作業等を容易化および単純化することができる。
【００３７】
さらに、本実施形態では、係止部材１４を、レール溝９内を摺動する摺動部１６と、レール溝９に係止される頭部１５とを備えた段付きネジ１４としている。このため、レール溝９が設けられたレール部材８と段付きネジ１４の２部品の追加のみにより、コントロールボックス６をユニット本体２に対して固定設置位置と取り出し位置との間を摺動自在に設置することができ、これによって、簡易な構成によりコントロールボックス６をユニット本体２外に取り出し自在とし、コントロールボックス６に対する各種作業やメンテナンス等の作業性を改善し、商品性を高めることができる。
【００３８】
また、レール溝９に対しては、溝方向の任意の位置に上記係止部材（段付きネジ）１４の頭部１５を溝内に通す挿通部１０を設けているため、その挿通部１０を介して係止部材１４の頭部１５をレール溝９に通すことにより、レール部材８に対して係止部材１４を係止し、コントロールボックス６を摺動自在に組み付けることができる。従って、ユニット本体２に対するコントロールボックス６の組み付けをも簡素化することができる。
【００３９】
なお、本発明は、上記実施形態にかかる発明に限定されるものではなく、その要旨を逸脱しない範囲において、適宜変形が可能である。例えば、上記実施形態では、レール部材８をユニット本体２側の背面パネル７に設け、係止部材１４である段付きネジをコントロールボックス６の背面側に設けた例について説明したが、逆にレール部材８をコントロールボックス６の背面側に設け、係止部材１４である段付きネジを背面パネル７側に設けた構成としてもよい。この場合、レール溝９を介してコントロールボックス６内に埃等が入らないような構成とすることが望ましい。
【００４０】
また、レール溝９の上下端部に直交方向に設ける取り出し側固定溝１１および設置側固定溝１２は、必ずしもレール溝９に対して直角に設ける必要はなく、多少上下に傾けて設けてもよい。更に、本発明は、天吊り型空気調和機の室内ユニットに限らず、他の空気調和機の室内ユニットに適用してもよいことはもちろんである。
【符号の説明】
【００４１】
１  空気調和機の室内ユニット
２  ユニット本体
６  コントロールボックス
８  レール部材
９  レール溝
１０  挿通部
１１  取り出し側固定溝
１２  設置側固定溝
１３  固定部
１４  係止部材（段付きネジ）
１５  頭部
１６  摺動部
【図１】
2015081709.tif 000003
【図２】
2015081709.tif 000004
【図３】
2015081709.tif 000005
【図４】
2015081709.tif 000006
【図５】
2015081709.tif 000007
【図６】
2015081709.tif 000008
【図７】
2015081709.tif 000009
【図８】
2015081709.tif 000010